(57)【要約】【課題】  可撓性のある長尺管材のロ−ル状梱包方法の改良に関し、ロ−ル巻きしたものから長尺管材を取り出した際にもロ−ル巻きの結束状態が崩れず、しかも長尺管材の表面が外部に現れることもなく、長尺管材の表面に傷が付くことはない梱包方法である。【解決手段】  可撓性のある長尺管材をロ−ル巻きする第１工程、ロ−ル巻きの円周方向に熱収縮性のある樹脂フィルムを巻き付ける第２工程、ロ−ル巻きに対し、熱収縮性のある樹脂フィルムを螺旋状に巻き付ける第３工程、熱をかけてフィルム同士の結着力を高める第４工程からなる長尺管材の梱包方法。１‥ポリブテン管、２‥ロ−ル巻き、３、４‥ポリエチレンフィルム、５‥ポリエチレンフィルム４のオ−バ−ラップ部、６‥熱風、７‥切断口。【選択図】図１
2005082169.tif 000002
【特許請求の範囲】
【請求項１】
可撓性のある長尺管材をロ−ル巻きにする第１工程、ロ−ル巻きの円周方向に熱収縮性のある樹脂フィルムを巻き付ける第２工程、ロ−ル巻きに対し、熱収縮性のある樹脂フィルムを螺旋状に巻き付ける第３工程、熱をかけてフィルム同士の結着力を高める第４工程、からなることを特徴とする長尺管材の梱包方法。
【請求項２】
第２工程において、樹脂フィルムは複数枚巻き付ける請求項１記載の長尺管材の梱包方法。
【請求項３】
第３工程において、樹脂フィルムは左右幅端をオ−バ−ラップして巻き付ける請求項１記載の長尺管材の梱包方法。
【請求項４】
第５工程として、切断口をロ−ル巻きの内側に形成する請求項１記載の長尺管材の梱包方法。
【請求項５】
第２工程と第３工程の間に、緩衝層を巻き付ける工程を付加した請求項１記載の長尺管材の梱包方法。
【発明の詳細な説明】
【技術分野】
【０００１】
本発明は可撓性のある長尺管材のロ−ル状梱包方法の改良に関するものであり、更に詳しくは、ロ−ル巻きしたものから長尺管材を取り出した際にもロ−ル巻きがバラケない梱包方法を提供するものである。
【０００２】
通常の可撓性のある長尺管材のロ−ル状梱包方法にあっては、６０〜１２０ｍ程度に切断した長尺管材をロ−ル状に巻き取り、ロ−ル巻きした３〜４箇所を結束紐で縛り、そのままビニ−ル袋に入れたり、ダンボ−ル箱に入れたりしていた。
【０００３】
かかる従来の梱包方法の最大の欠点は、開封する際には結束紐を解いて長尺管材を取り出す必要があり、このため、結束紐を解くとロ−ル巻きの径が広がり、かつバラ気てしまい、その後の扱いが極めて不便であった。特に、長尺管材の曲げ癖がほとんどない場合にはこの傾向が大きく、結束し直して元の袋や箱に入れようとしても困難なケ−スが多かった。しかも、この袋や箱には持ち運ぶための取っ手がないことから、運搬上にも不便をきたしていた。
【０００４】
そして、長尺管材を取り出した後にロ−ル巻きのままの状態で置くと、特に施工現場での持ち運びの際に引き摺ったり、周囲の部材と擦れたりするため、長尺管材の表面に傷が付いてしまい、その後の使用に不便をきたすおそれがあった。即ち、近年では、給水・給湯用の管として長尺管材が用いられるケ−スが多いが、これは長尺管材の表面にＯ−リングをあてがって止水する手法が主流であり、従って、長尺管材の表面に傷が付いているとそのまま漏水に繋がってしまうことになる。
【発明の開示】
【発明が解決しようとする課題】
【０００５】
本発明は以上の課題を解決しようとするものであり、長尺管材をロ−ル巻きした後に長尺管材を取り出すに当たってもその結束状態が崩れず、しかも長尺管材の表面が外部に現れることもなく、万一引きずってしまった場合でも、長尺管材の表面に傷が付くことはなく、極めて優れた梱包方法を提供するものである。
【課題を解決するための手段】
【０００６】
本発明の解決手段の要旨は、可撓性のある長尺管材をロ−ル巻きにする第１工程、ロ−ル巻きの円周方向に熱収縮性のある樹脂フィルムを巻き付ける第２工程、ロ−ル巻きに対し、熱収縮性のある樹脂フィルムを螺旋状に巻き付ける第３工程、熱をかけてフィルム同士の結着力を高める第４工程、からなる長尺管材の梱包方法である。
【発明の効果】
【０００７】
本発明にあって、長尺管材のロ−ル巻き梱包にあって、樹脂フィルムは熱収縮により結着力は強く維持される状態となり、この状態でロ−ル巻きのフィルムに切断口を形成することにより、特に、切断口をロ−ル巻きの内側に形成することによって長尺管材の取り出しは容易となり、かつ長尺管材の巻き状態もそのままであり、収納・搬送等に極めて便利な梱包方法を提供できたものである。
【発明を実施するための最良の形態】
【０００８】
本発明の梱包方法は、可撓性のある長尺管材の全てに適用できるものであり、この方法が優れているものは曲げ癖の付きにくい、或いは曲げ癖が付かない方が望ましい長尺管材の梱包に特に好んで用いられる。従来では、これらの長尺管材がロ−ル状にて梱包されている際に、この結束が解かれると直にロ−ル径が大きくなったり、バラケたりしてしまうが、本発明ではこのような現象は起こらず、長尺管材を引き出した残りも常に同じロ−ル径を維持するものであり、しかも、長尺管材をフィルムが覆っているため、保管や運搬時にもそれほど注意を払わなくてもよく、実際の施工現場での取扱上も極めて優れた効果を発揮するものである。
【０００９】
長尺管材としては、特に制限があるわけではなく、樹脂管でも、ゴム管でも使用可能である。特にその外表面をＯ−リング等にて止水する管材（例えば、給水・給湯管に用いられるポリブテン管）に用いれば、その外表面に傷が付かずに保管や運搬ができるため好適な使用となる。
【００１０】
用いられる熱収縮性の樹脂フィルムとしては、例えば、低密度ポリエチレン、ポリプロピレン、塩化ビ二−ル製のフィルムが好ましい。
【００１１】
第２工程において、樹脂フィルムは複数枚巻き付けることがよく、ロ−ル巻きされた長尺管材を円周方向に完全に巻き付けるのがよい。この第２工程における巻つけは主としてロ−ルの径の拡大を阻止するためのものである。
【００１２】
第３工程において、樹脂フィルムは左右幅端をオ−バ−ラップして螺旋状に巻き付けるのがよく、主として結着力の強化・維持のためである。オ−バ−ラップの幅は全体の幅の２０〜４０％程度がよい。このオ−バ−ラップの幅は、少な過ぎると結着力が弱まってしまい、又、多過ぎても材料の無駄になるところからその限界がある。
【００１３】
第４工程において、巻き付けた樹脂フィルムに熱をかけてフィルム同士の結着力を高めるが、その処理手段は任意であり、熱風を当てたり、ヒ−タ−を備えたトンネル内を潜らせることによって処理する。加熱温度や加熱時間は用いられる樹脂フィルムの種類や樹脂フィルムの巻き数によっても異なることは言うまでもない。いずれにせよ、樹脂フィルムを加熱することにより積層された樹脂フィルム同士の結着力が高まることが肝要であり、溶融してくっつき合う必要はない。そして、熱をかけることによって樹脂フィルムに熱収縮を促し、更に場合によっては樹脂フィルムの結晶化をもたらしてロ−ルがバラ気ないように結着力の強化・維持を図ることになる。尚、通常は第３工程が終了後に巻き付けた樹脂フィルムに熱を掛けるが、各工程毎に熱を掛けることによって、その結着力をより万全にすることもできる。
【００１４】
第５工程として、ロ−ル巻きの外周表面以外の部位、好ましくは内周側の最も径の小さい部位の結着している樹脂フィルムに円周方向に切断口（通常はスリット状）を形成するものであり、この切断口から適当な長さを引き出して裁断し使用に供することになる。この切断口は任意の治具で切断する。かかる樹脂フィルムの切断にあっても、前記したように樹脂フィルム同士に結着力が備わっているためにロ−ルの径が広がってしまうこともなく、依然としてロ−ル巻きの形状が維持される。尚、樹脂フィルムに予め紐状の封切りを仕込んでおくことも可能である。
【００１５】
尚、第２工程と第３工程の間に、緩衝層を巻き付ける工程を付加した樹脂管の梱包方法がよい。この緩衝層の例としては、エアキャップフィルム、軟質の発泡シ−ト、ダンボ−ル紙等がある。本発明の梱包方法はロ−ル巻きした長尺管材が樹脂フィルムにて覆われているため、擦れや引っ掻き傷等は十分に防ぐことができるが、この緩衝層は外部から加えられる力や保管中或いは運搬中の落下の衝撃に耐えるためのものである。
【００１６】
尚、第２工程と第３工程を何層か交互に行ってもよいことは勿論である。
【実施例１】
【００１７】
図１は本発明の梱包方法の概要を示す図である。
給水・給湯用の配管に用いられる外径が１４ｍｍのポリブテン管（１）を６０ｍ裁断し、外径１ｍにド−ナツ状にロ−ル巻き（２）した。
【００１８】
次いで、ポリエチレンフィルム（３）をロ−ル巻き（２）の外周方向に３周程度巻き付けた。用いられたポリエチレンフィルム（３）の幅はロ−ル巻き（２）の全周を覆うに十分の幅を持ち、ロ−ル巻き（２）の側面及び内周側に添わせて巻き付けた。
【００１９】
同じくポリエチレンフィルム（４）を幅端縁を３０ｍｍ程度オ−バ−ラップ（５）させた状態で螺旋状に２周ほど巻き付けた。
【００２０】
その後、ほぼ均等に熱風（６）を吹き付け、各ポリエチレンフィルム（３）、（４）を軟化させて相互に結着力を持たせた。フィルムの溶融は不要であり、密着状態で剥離が容易にはできない状態となればよい。
【００２１】
自然冷却の後に、ロ−ル状の内周側のフィルム（３）、（４）に切断口（スリット）（７）を形成してポリブテン管（１）の先端を引き出し、所定長さに裁断した。残ったロ−ル巻き（２）は全周が前記のフィルム（３）、（４）にて覆われているため、ロ−ル巻き（２）径の拡張はなく、内部に残った管のバラケもなかった。
【産業上の利用可能性】
【００２２】
本発明は以上の通りであって、ロ−ル巻きされていた長尺管材が開封後もフィルムに囲まれたド−ナツ状の梱包形態を維持するため、保管時や持ち運び、作業現場での取扱にも優れたものであり、長尺管材の表面にも傷が付くことがないという大きな特徴があり、その利用性は極めて高いものである。
【図面の簡単な説明】
【００２３】
【図１】図１は本発明の梱包方法の概要を示す図である。
【符号の説明】
【００２４】
１‥ポリブテン管
２‥ロ−ル巻き
３‥ポリエチレンフィルム
４‥ポリエチレンフィルム
５‥ポリエチレンフィルムのオ−バ−ラップ部
６‥熱風
７‥切断口
【図１】
2005082169.tif 000003
【手続補正書】
【提出日】平成15年10月23日(2003.10.23)
【手続補正１】
【補正対象書類名】明細書
【補正対象項目名】全文
【補正方法】変更
【補正の内容】
【発明の詳細な説明】
【技術分野】
【０００１】
本発明は可撓性のある長尺管材のロ−ル状梱包方法の改良に関するものであり、更に詳しくは、ロ−ル巻きしたものから長尺管材を取り出した際にもロ−ル巻きがバラケない梱包方法を提供するものである。
【０００２】
通常の可撓性のある長尺管材のロ−ル状梱包方法にあっては、６０〜１２０ｍ程度に切断した長尺管材をロ−ル状に巻き取り、ロ−ル巻きした３〜４箇所を結束紐で縛り、そのままビニ−ル袋に入れたり、ダンボ−ル箱に入れたりしていた。
【０００３】
かかる従来の梱包方法の最大の欠点は、開封する際には結束紐を解いて長尺管材を取り出す必要があり、このため、結束紐を解くとロ−ル巻きの径が広がり、かつバラケてしまい、その後の扱いが極めて不便であった。特に、長尺管材の曲げ癖がほとんどない場合にはこの傾向が大きく、結束し直して元の袋や箱に入れようとしても困難なケ−スが多かった。しかも、この袋や箱には持ち運ぶための取っ手がないことから、運搬上にも不便をきたしていた。
【０００４】
そして、長尺管材を取り出した後にロ−ル巻きのままの状態で置くと、特に施工現場での持ち運びの際に引き摺ったり、周囲の部材と擦れたりするため、長尺管材の表面に傷が付いてしまい、その後の使用に不便をきたすおそれがあった。即ち、近年では、給水・給湯用の管として長尺管材が用いられるケ−スが多いが、これは長尺管材の表面にＯ−リングをあてがって止水する手法が主流であり、従って、長尺管材の表面に傷が付いているとそのまま漏水に繋がってしまうことになる。
【発明の開示】
【発明が解決しようとする課題】
【０００５】
本発明は以上の課題を解決しようとするものであり、長尺管材をロ−ル巻きした後に長尺管材を取り出すに当たってもその結束状態が崩れず、しかも長尺管材の表面が外部に現れることもなく、万一引きずってしまった場合でも、長尺管材の表面に傷が付くことはなく、極めて優れた梱包方法を提供するものである。
【課題を解決するための手段】
【０００６】
本発明の解決手段の要旨は、可撓性のある長尺管材をロ−ル巻きにする第１工程、ロ−ル巻きの円周方向に熱収縮性のある樹脂フィルムを巻き付ける第２工程、ロ−ル巻きに対し、熱収縮性のある樹脂フィルムを螺旋状に巻き付ける第３工程、熱をかけてフィルム同士の結着力を高める第４工程、からなる長尺管材の梱包方法である。
【発明の効果】
【０００７】
本発明にあって、長尺管材のロ−ル巻き梱包にあって、樹脂フィルムは熱収縮により結着力は強く維持される状態となり、この状態でロ−ル巻きのフィルムに切断口を形成することにより、特に、切断口をロ−ル巻きの内側に形成することによって長尺管材の取り出しは容易となり、かつ長尺管材の巻き状態もそのままであり、収納・搬送等に極めて便利な梱包方法を提供できたものである。
【発明を実施するための最良の形態】
【０００８】
本発明の梱包方法は、可撓性のある長尺管材の全てに適用できるものであり、この方法が優れているものは曲げ癖の付きにくい、或いは曲げ癖が付かない方が望ましい長尺管材の梱包に特に好んで用いられる。従来では、これらの長尺管材がロ−ル状にて梱包されている際に、この結束が解かれると直にロ−ル径が大きくなったり、バラケたりしてしまうが、本発明ではこのような現象は起こらず、長尺管材を引き出した残りも常に同じロ−ル径を維持するものであり、しかも、長尺管材をフィルムが覆っているため、保管や運搬時にもそれほど注意を払わなくてもよく、実際の施工現場での取扱上も極めて優れた効果を発揮するものである。
【０００９】
長尺管材としては、特に制限があるわけではなく、樹脂管でも、ゴム管でも使用可能である。特にその外表面をＯ−リング等にて止水する管材（例えば、給水・給湯管に用いられるポリブテン管）に用いれば、その外表面に傷が付かずに保管や運搬ができるため好適な使用となる。
【００１０】
用いられる熱収縮性の樹脂フィルムとしては、例えば、低密度ポリエチレン、ポリプロピレン、塩化ビニ−ル製のフィルムが好ましい。
【００１１】
第２工程において、樹脂フィルムは複数枚巻き付けることがよく、ロ−ル巻きされた長尺管材を円周方向に完全に巻き付けるのがよい。この第２工程における巻つけは主としてロ−ルの径の拡大を阻止するためのものである。
【００１２】
第３工程において、樹脂フィルムは左右幅端をオ−バ−ラップして螺旋状に巻き付けるのがよく、主として結着力の強化・維持のためである。オ−バ−ラップの幅は全体の幅の２０〜４０％程度がよい。このオ−バ−ラップの幅は、少な過ぎると結着力が弱まってしまい、又、多過ぎても材料の無駄になるところからその限界がある。
【００１３】
第４工程において、巻き付けた樹脂フィルムに熱をかけてフィルム同士の結着力を高めるが、その処理手段は任意であり、熱風を当てたり、ヒ−タ−を備えたトンネル内を潜らせることによって処理する。加熱温度や加熱時間は用いられる樹脂フィルムの種類や樹脂フィルムの巻き数によっても異なることは言うまでもない。いずれにせよ、樹脂フィルムを加熱することにより積層された樹脂フィルム同士の結着力が高まることが肝要であり、溶融してくっつき合う必要はない。そして、熱をかけることによって樹脂フィルムに熱収縮を促し、更に場合によっては樹脂フィルムの結晶化をもたらしてロ−ルがバラケないように結着力の強化・維持を図ることになる。尚、通常は第３工程が終了後に巻き付けた樹脂フィルムに熱を掛けるが、各工程毎に熱を掛けることによって、その結着力をより万全にすることもできる。
【００１４】
第５工程として、ロ−ル巻きの外周表面以外の部位、好ましくは内周側の最も径の小さい部位の結着している樹脂フィルムに円周方向に切断口（通常はスリット状）を形成するものであり、この切断口から適当な長さを引き出して裁断し使用に供することになる。この切断口は任意の治具で切断する。かかる樹脂フィルムの切断にあっても、前記したように樹脂フィルム同士に結着力が備わっているためにロ−ルの径が広がってしまうこともなく、依然としてロ−ル巻きの形状が維持される。尚、樹脂フィルムに予め紐状の封切りを仕込んでおくことも可能である。
【００１５】
尚、第２工程と第３工程の間に、緩衝層を巻き付ける工程を付加した樹脂管の梱包方法がよい。この緩衝層の例としては、エアキャップフィルム、軟質の発泡シ−ト、ダンボ−ル紙等がある。本発明の梱包方法はロ−ル巻きした長尺管材が樹脂フィルムにて覆われているため、擦れや引っ掻き傷等は十分に防ぐことができるが、この緩衝層は外部から加えられる力や保管中或いは運搬中の落下の衝撃に耐えるためのものである。
【００１６】
尚、第２工程と第３工程を何層か交互に行ってもよいことは勿論である。
【実施例１】
【００１７】
図１は本発明の梱包方法の概要を示す図である。
給水・給湯用の配管に用いられる外径が１４ｍｍのポリブテン管（１）を６０ｍ裁断し、外径１ｍにド−ナツ状にロ−ル巻き（２）した。
【００１８】
次いで、ポリエチレンフィルム（３）をロ−ル巻き（２）の外周方向に３周程度巻き付けた。用いられたポリエチレンフィルム（３）の幅はロ−ル巻き（２）の全周を覆うに十分の幅を持ち、ロ−ル巻き（２）の側面及び内周側に添わせて巻き付けた。
【００１９】
同じくポリエチレンフィルム（４）を幅端縁を３０ｍｍ程度オ−バ−ラップ（５）させた状態で螺旋状に２周ほど巻き付けた。
【００２０】
その後、ほぼ均等に熱風（６）を吹き付け、各ポリエチレンフィルム（３）、（４）を軟化させて相互に結着力を持たせた。フィルムの溶融は不要であり、密着状態で剥離が容易にはできない状態となればよい。
【００２１】
自然冷却の後に、ロ−ル状の内周側のフィルム（３）、（４）に切断口（スリット）（７）を形成してポリブテン管（１）の先端を引き出し、所定長さに裁断した。残ったロ−ル巻き（２）は全周が前記のフィルム（３）、（４）にて覆われているため、ロ−ル巻き（２）径の拡張はなく、内部に残った管のバラケもなかった。
【産業上の利用可能性】
【００２２】
本発明は以上の通りであって、ロ−ル巻きされていた長尺管材が開封後もフィルムに囲まれたド−ナツ状の梱包形態を維持するため、保管時や持ち運び、作業現場での取扱にも優れたものであり、長尺管材の表面にも傷が付くことがないという大きな特徴があり、その利用性は極めて高いものである。
【図面の簡単な説明】
【００２３】
【図１】図１は本発明の梱包方法の概要を示す図である。
【符号の説明】
【００２４】
１‥ポリブテン管
２‥ロ−ル巻き
３‥ポリエチレンフィルム
４‥ポリエチレンフィルム
５‥ポリエチレンフィルムのオ−バ−ラップ部
６‥熱風
７‥切断口